(57)【要約】【課題】  自動車の後部に一体的に固定され、汚れから保護されるとともに、衝撃や悪戯が防御されているビデオカメラを備える自動車の後方視認装置を提供する。【解決手段】  本発明は、自動車の後部に固定されるビデオカメラ（２）を備える後方視認装置（１）に関する。後方視認装置（１）は、ビデオカメラ（２）の前方にある閉位置と、ビデオカメラ（２）のレンズから離れた開位置との間を移動しうるようになっているフラップ（１０）と、フラップ（１０）を閉位置と開位置との間に移動させうる駆動手段（２０）とを備えていることを特徴としている。【選択図】        図１
2007500096.tif 000002
【特許請求の範囲】
【請求項１】
−自動車の後部に一体的に固定しうるようになっているビデオカメラ（２）と、
−ビデオカメラ（２）のレンズの前方にある閉位置と、ビデオカメラ（２）のレンズから離れた位置にある開位置とへ移動しうるようにして取り付けられたフラップ（１０）（１１０）と、
−フラップ（１０）（１１０）を、閉位置と開位置とに移動させる駆動手段（２０）（１２０）とを備え、
フラップ（１０）（１１０）は、旋回軸を定める旋回手段（１３ａ）（１３ｂ）を備え、かつ一つの位置から他の位置へ移動できるようになっている、自動車の後方視認装置（１）（１００）において、
前記フラップ（１０）（１１０）は、
−曲面部（１１）と、
−連結アーム（１２ａ）（１２ｂ）とを備え、
連結アーム（１２ａ）（１２ｂ）を、曲面部（１１）及び旋回手段（１３ａ）（１３ｂ）に固定してあることを特徴とする後方視認装置（１）（１００）。
【請求項２】
旋回軸は、曲面部（１１）の凹面（１５）の曲率に対する軸と同軸であることを特徴とする、請求項１記載の後方視認装置（１）（１００）。
【請求項３】
フラップ（１０）（１１０）は、駆動手段（２０）により発生された伝達力を伝達する伝達手段（１７）を備えていることを特徴とする、請求項１または２記載の後方視認装置。
【請求項４】
伝達手段（１７）を、連結アーム（１２ａ）（１２ｂ）の一方に設けたことを特徴とする、請求項３記載の後方視認装置（１）（１００）。
【請求項５】
伝達手段（１７）を、フラップ（１０）（１１０）と一体化してあることを特徴とする、請求項３または４記載の後方視認装置（１）（１００）。
【請求項６】
フラップ（１０）（１１０）を開位置から閉位置へ移動させうる弾性戻し手段（２２）（２５ａ）（２５ｂ）を備えていることを特徴とする、請求項１〜５のいずれか１つに記載の後方視認装置（１）（１００）。
【請求項７】
フラップ（１０）（１１０）は、フラップ（１０）に固定され、弾性戻し手段（２２）の自由端（２５ｂ）と係合してロックする係止部（２６ｂ）を備えていることを特徴とする、請求項６記載の後方視認装置（１）（１００）。
【請求項８】
係止部（２６ｂ）を、フラップ（１０）（１１０）と一体化してあることを特徴とする、請求項７記載の後方視認装置（１）（１００）。
【請求項９】
駆動手段（２０）（１２０）は、閉位置と開位置との間にある少なくとも１つの中間位置に、フラップ（１０）（１１０）を固定できるようになっていることを特徴とする、請求項１〜８のいずれか１つに記載の後方視認装置（１）（１００）。
【請求項１０】
駆動手段（２０）（１２０）は、
−フラップ（１０）（１１０）を、閉位置から開位置へ移動させうる電気モータ（２１）と、
−フラップ（１０）（１１０）を、開位置から閉位置へ移動させうる弾性戻し手段（２２）と、
−フラップ（１０）（１１０）を、開位置及び閉位置に停止させうる停止手段（２３）（２４）と
を備えていることを特徴とする、請求項１〜９のいずれか１つに記載の後方視認装置（１）（１００）。
【請求項１１】
駆動手段（２０）（１２０）は、フラップ（１０）（１１０）を、閉位置から開位置へ駆動するとともに、フラップ（１０）（１１０）を開位置及び閉位置に停止させうるステッピングモータを備えていることを特徴とする、請求項１〜９のいずれか１つに記載の後方視認装置（１）（１００）。
【請求項１２】
フラップ（１０）（１１０）を、閉位置と、開位置を超えた保管位置とに手で移動させることができ、かつフラップ（１０）（１１０）を保管位置に固定しうるロック手段（４０）を備えていることを特徴とする、請求項１〜１０のいずれか１つに記載の後方視認装置（１）（１００）。
【請求項１３】
駆動手段（２０）（１２０）を用いることなく、フラップ（１０）（１１０）を閉位置にロックしうるロック手段（５０）を備えていることを特徴とする、請求項１〜１１のいずれか１つに記載の後方視認装置（１）（１００）。
【請求項１４】
支持体（４）（１０４）に設けられたスロット（６）（１０６）を通過するようにして、フラップ（１０）（１１０）を取り付け、フラップ（１０）（１１０）と支持体（４）（１０４）とをシールしうるシール手段（６０）を備えていることを特徴とする、請求項１〜１３のいずれか１つに記載の後方視認装置（１）（１００）。
【請求項１５】
シール手段（６０）は、フラップ（１０）（１１０）の端部（１８）に設けられ、フラップ（１０）（１１０）が開位置にある時、フラップ（１０）（１１０）と支持体（４）（１０４）とをシールしうる第１シール部（６１）と、フラップ（１０）（１１０）の基端部（１６）に設けられ、フラップ（１０）（１１０）が閉位置にある時、フラップ（１０）（１１０）と支持体（４）（１０４）とをシールしうる第２シール部（６２）とを備えていることを特徴とする、請求項１４記載の後方視認装置（１）（１００）。
【請求項１６】
シール手段（６０）は、支持体（４）（１０４）に固定され、スロット（６）（１０６）に位置し、フラップ（１０）（１１０）と滑り接触する第３シール部を備えていることを特徴とする、請求項１４または１５記載の後方視認装置（１）（１００）。
【請求項１７】
フラップ（１０）（１１０）が閉位置と開位置との間を移動している間に、ビデオカメラ（２）の外面を払拭する清掃手段（３０）（１３０）を備えていることを特徴とする、請求項１〜１６のいずれか１つに記載の後方視認装置（１）（１００）。
【請求項１８】
ビデオカメラ（２）のレンズを保護する透明な保護スクリーン（３）（１０３）と、フラップ（１０）（１１０）が閉位置と開位置とに移動している間、前記保護スクリーン（３）（１０３）を払拭する清掃手段（３０）（１３０）とを備えていることを特徴とする、請求項１〜１６のいずれか１つに記載の後方視認装置（１）（１００）。
【請求項１９】
保護スクリーン（３）（１０３）の外面は、フラップ（１０）（１１０）の移動経路とおおむね平行であり、清掃手段（３０）（１３０）は、フラップ（１０）（１１０）の端部（１８）に固定され、保護スクリーン（３）（１０３）の外面と滑り接触しうるスクレーパーシール（３１）を備えていることを特徴とする、請求項１８記載の後方視認装置（１）（１００）。
【請求項２０】
保護スクリーン（３）（１０３）の外面は、フラップ（１０）（１１０）の移動経路とおおむね平行であり、清掃手段（３０）（１３０）は、フラップ（１０）（１１０）の第１シール部（６１）の突出部（３２）からなり、この突出部（３２）は、保護スクリーン（３）（１０３）の外面と滑り接触するようになっていることを特徴とする、請求項１８または１９記載の後方視認装置（１）（１００）。
【請求項２１】
フラップ（１０）を、ビデオカメラ（２）が固定された支持体（４）と相対的に移動しうるようにして取り付けてあることを特徴とする、請求項１〜２０のいずれか１つに記載の後方視認装置（１）（１００）。
【請求項２２】
フラップ（１１０）を、駆動手段（１２０）の保護ケース（１７０）と相対的に移動しうるようにして取り付けてあることを特徴とする、請求項１〜２０のいずれか１つに記載の後方視認装置（１）（１００）。
【請求項２３】
フラップ（１０）（１１０）を、透明材料で形成したことを特徴とする、請求項１〜２２のいずれか１つに記載の後方視認装置（１）（１００）。
【請求項２４】
フラップ（１０）（１１０）は、前記ビデオカメラ（２）のレンズと、前記フラップ（１０）（１１０）との相対位置に伴うビデオカメラ（２）の視界を修正しうるプリズム手段を備えていることを特徴とする、請求項２３記載の後方視認装置（１）（１００）。
【請求項２５】
請求項１〜９のいずれか１つに記載の後方視認装置を、少なくとも１つ備えていることを特徴とする自動車。
【発明の詳細な説明】
【技術分野】
【０００１】
本発明は、自動車の後部に一体化されたビデオカメラによる後方視認装置に関する。
【０００２】
本発明は、自動車を駐車する際の補助用として、特に効果的なものであるが、必ずしも、この用途に限定されるものではない。
【背景技術】
【０００３】
自動車が移動している時、車両の後方の視界、すなわち、車両の後方の道路の一部、特に、他のユーザの動きを監視するビデオカメラは公知である。得られた像は、客室内、特に、運転者の視界内にあるスクリーンに投影される。しかし、このようにしてビデオカメラを用いることは、得られる像が必ずしも好ましくない従来の後方ミラーに比べて、高価となるため、現在のところ、モーターショー用の参考品に限られている。
【０００４】
また、大量生産される自動車用の、駐車を補助するビデオカメラが開発されている。この場合、ビデオカメラにより自動車のすぐ後ろの空間が写され、運転者の視界内に設けたスクリーンに投影される。このようにして、後方ミラーを用いることなく、駐車動作時、特に、後退している時に、運転者を補助する新規な機能が提供される。
【０００５】
このような後方視認装置のビデオカメラは、通常、自動車の後部において、合理的な高さのところに取り付けられている。すなわち、ビデオカメラは、ボディや、例えば、バンパ、リヤスポイラ、後部扉等の自動車の後部に設けられた部材と、直接的に一体化されている。
【０００６】
ビデオカメラは、上述した位置に固定されて、その機能を発揮させるようになっている。ビデオカメラのレンズは、透明な保護スクリーンにより保護されることがある。いずれにしても、ビデオカメラは、レンズの端部または保護スクリーンが支持体とおおむね同一面となるように取り付けられる。
【０００７】
このように取り付けることにより、コストを抑えた簡単な構成とすることができる。また、装置を小型化することができ、簡単に取り付けることが可能となる。しかし、ビデオカメラは、汚れに対して保護されておらず、特に、衝撃や悪戯に対して無防備となっている。
【発明の開示】
【発明が解決しようとする課題】
【０００８】
ビデオカメラを引き込み式とし、可動式の保護フラップを設けた後方視認装置がある。この後方視認装置においては、フラップ及びビデオカメラを可動式とする必要があるので、駆動機構は、複雑かつ大型となる。構成が複雑になるため、コストが大となるとともに、装置の信頼性が小となる。また、装置が嵩張るので、装置を自動車の特定部分に取り付ける際に邪魔となったり、取り付けることができなくなったりする。また、可動式であるため、配線が複雑になる。
【０００９】
本発明によると、このような技術的な問題は解決される。本発明の目的は、自動車の後部に一体的に固定されたビデオカメラを備える自動車の後方視認装置を提案することにある。この後方視認装置は、ビデオカメラを汚れから保護するとともに、衝撃や悪戯を防御して、従来の問題点を解消する。
【課題を解決するための手段】
【００１０】
上述した技術的な問題を解決する本発明による後方視認装置は、ビデオカメラのレンズの前方にある閉位置と、レンズの後方にある開位置とに移動するようにして取り付けられたフラップと、閉位置と開位置とにフラップを移動させる駆動手段とを備えている。
【００１１】
このような後方視認装置により、駐車時の補助機能及び後方視界が得られる。
【００１２】
ビデオカメラは、自動車の後部において、ボディやその他の部材に一体的に取り付けられるが、その一部または全体を、ボディの内側に直接的に一体化してもよい。
【００１３】
フラップは、ビデオカメラのレンズを覆う閉位置と、前記ビデオカメラの視界を開く開位置とに移動する。そのため、フラップは、平行運動、回転運動、傾斜運動、旋回運動、またはそれらを組み合わせた運動ができるように取り付けられる。
【００１４】
ビデオカメラのレンズは、外部要因により、汚れたり、後方視認装置の機能が低下したりするので、フラップにより保護される。
【００１５】
本発明により、固定型カメラの上述した利点と、可動式の保護フラップの利点とが発揮される。特に、後方視認装置が使用されていない時に、フラップは、汚れ、衝撃、悪戯に対して効果的に保護する。
【００１６】
また、本発明は、以下の詳細な説明に示す特徴を有し、それらを、単独または技術的に組み合わせて実施することができる。
【００１７】
次に、図面を参照して、本発明の非限定的な実施例を説明する。
【発明を実施するための最良の形態】
【００１８】
簡略化のために、同一部材には、同一符号を付してある。また、本発明の理解のために、必須の部材のみを、寸法比率に拘ることなく示してある。
【００１９】
図１は、透明な保護スクリーン（３）により保護されたレンズを有する公知のビデオカメラ（２）を備える後方視認装置（１）を示す。単に例示的であるこの実施例では、ビデオカメラ（２）及び保護スクリーン（３）は、自動車の後部に取り付けられる支持体（４）に固定されている。
【００２０】
本発明に従い、後方視認装置（１）には、保護スクリーン（３）の前方にある閉位置（図１２）と、保護スクリーン（３）から離れた位置にある開位置（図１１）とに旋回しうるフラップ（１０）が設けられている。また、後方視認装置（１）は、フラップ（１０）を閉位置と開位置とに旋回させる駆動手段（２０）を備えている。
【００２１】
本発明の１つの特徴によれば、駆動手段（２０）（１２０）は、閉位置と開位置との間にある少なくとも１つの中間位置に、フラップ（１０）（１１０）を固定できるようになっている。
【００２２】
図２から明確にわかるように、フラップ（１０）は、管状の曲面部（１１）と、自由端にそれぞれ旋回手段である旋回軸をなす円筒部（１３ａ）（１３ｂ）を有する２本の連結アーム（１２ａ）（１２ｂ）とを備えている。２本の連結アーム（１２ａ）（１２ｂ）は、それぞれ、曲面部（１１）の上縁（１４）の２つの端部に固定され、前記曲面部（１１）の凹面（１５）側において延びている。
【００２３】
円筒部（１３ａ）（１３ｂ）は、互いに適合し、かつ、曲面部（１１）の凹面（１５）の曲率と対応する軸と同軸である。円筒部（１３ａ）（１３ｂ）は、互いに適合し、かつ支持体（４）に固定された２つの解放軸受（５ａ）（５ｂ）と協動して回転する。すなわち、曲面部（１１）は、閉位置と開位置との間を、保護スクリーン（３）に沿って移動する。
【００２４】
本発明の好ましいこの実施例においては、駆動手段（２０）は、フラップ（１０）を閉位置から開位置へ旋回させる電気モータ（２１）を備えている。また、駆動手段（２０）は、フラップ（１０）を開位置から閉位置へ旋回させる弾性戻し手段（２２）を備えている。さらに、駆動手段（２０）は、フラップ（１０）の移動を開位置及び閉位置で停止させる停止手段（２３）（２４）を備えている。
【００２５】
この実施例において、電気モータ（２１）は、駆動軸を、フラップ（１０）を開く一方向のみへ回転させればよいので、通常のものでよい。フラップ（１０）が閉位置にある時、電気モータ（２１）を制御する電子部は、電気モータ（２１）に給電し、電気モータ（２１）を駆動させ、それにより、前記フラップ（１０）を確実に開位置に保持する。電気モータ（２１）が停止すると、フラップ（１０）は、弾性戻し手段（２２）により、自動的に閉位置へ戻される。
【００２６】
図２及び図３において、弾性戻し手段（２２）は、円筒部（１３ａ）の周りに公知のように巻回された渦巻きばねであり、その自由端（２５ａ）（２５ｂ）は、支持体（４）及びフラップ（１０）にそれぞれ固定された２つの係止部（２６ａ）（２６ｂ）と協動してロックする。
【００２７】
この実施例では、停止手段（２３）（２４）は、全く異なる形状となっている。
【００２８】
図１及び図２は、フラップ（１０）を閉位置に停止させる停止手段（２３）を詳細に示している。停止手段（２３）は、曲面部（１１）の基端部（１６）に沿って延び、前記曲面部（１１）が保護スクリーン（３）を完全に覆った時に、支持体（４）とロックするバー（２７）からなっている。
【００２９】
図２、図４及び図５から分かるように、フラップ（１０）を開位置に停止させる停止手段（２４）は、円筒部（１３ｂ）に固定され、フラップ（１０）の方向へ後方に延びる爪（２８）からなっている。フラップ（１０）が開位置（図４）にある時にのみ、爪（２８）がフラップ（１０）と当接するようになっている。その他の場合、特にフラップ（１０）が閉位置（図５）にある時には、爪（２８）は、支持体（４）から離れる。
【００３０】
しかし、変形例として、駆動手段（２０）を、単なるステッピングモータとしてもよい。このようなモータの駆動軸を、両方向に回転させることにより、フラップ（１０）を閉位置から開位置へ、またはその逆へ旋回させることができる。また、駆動軸の回転角を制御することにより、フラップ（１０）を開位置または閉位置に停止したり固定したりすることができる。この構成によると、弾性戻し手段（２２）及び停止手段（２３）（２４）が不要となる。
【００３１】
変形例を用いた場合でも、フラップ（１０）に対する駆動手段（２０）により発生される駆動力は、ギヤ、摩擦ホイール、ベルト等の公知の手段により伝達される。
【００３２】
図１の場合、駆動力は、電気モータ（２１）の駆動軸に固定されたピニオン（２９）を、フラップ（１０）に固定された伝達手段である噛合部（１７）と噛合させることにより伝達される。
【００３３】
図６及び図７は、第１の変形例を示す。フラップ（１０）を、閉位置と、開位置（図６）を超えた位置にある保管位置（図７）とに、手で移動させることができる。また、後方視認装置（１）には、フラップ（１０）を保管位置（図７）に固定するロック手段（４０）が設けられている。そのため、駆動手段（２０）が破損したり誤動作した場合に、ユーザは、外部からフラップ（１０）を押すことができる。このようにして、後方視覚機能を好適に保持することができる。
【００３４】
この変形例では、ロック手段（４０）は、支持体（４）に固定されたタング（４１）と、停止手段（図６）をなす端部（４２）と、爪（２８）（図７）の端と一体的に係合する中間部（４３）とからなっている。
【００３５】
ロック手段（４０）が作動している時、駆動手段（２０）は、フラップ（１０）を開位置から閉位置へ移動させることはできない。また、前記駆動手段（２０）及び弾性戻し手段（２２）は、ロック手段（４０）を解除できるように構成されていない。すなわち、所定位置にいるユーザのみが、タング（４１）を弾性変形させて、相補的な形状の中間部（４３）に、爪（２８）の端を係合させたり解除させたりすることができる。
【００３６】
図８〜図１０は、第２の変形例を示している。この変形例は、天候に対して、後方視認装置（１）を保護するようになっているので、上述した特徴とは全く異なった特徴を有している。
【００３７】
この変形例は、駆動手段（２０）を用いることなく、フラップ（１０）を閉位置にロックできるロック手段（５０）を特徴としている。フラップ（１０）を移動させるために、駆動手段（２０）のみにより作動及び非作動とされるロック手段（５０）は、外部から手で操作することはできない。
【００３８】
図８〜図１０の変形例において、ロック手段（５０）は、支持体（４）上を弾性的に旋回するように取り付けられ、フラップ（１０）に固定されたラグ（５３）と係止しうる係止部（５２）が設けられたタング（５１）を備えている。また、ロック手段（５０）は、非噛合部（５５）を有するピニオン（５４）を備えている。
【００３９】
この特別のピニオン（５４）は、ピニオン（２９）にではなく、電気モータ（２１）の伝達軸に固定され、フラップ（１０）に固定された噛合部（１７）と噛合するようになっている。さらに、ロック手段（５０）は、電気モータ（２１）の伝達軸に固定され、タング（５１）の端部とスライドして接触しうるカム（５６）を備えている。
【００４０】
閉位置（図８）において、タング（５１）は、カム（５６）の非円形部と接触し、ピニオン（５４）の非噛合部（５５）は、噛合部（１７）と向き合い（図１０）、フラップ（１０）に固定されたラグ（５３）は、前記タング（５１）の係止部（５２）と係合する。タング（５３）により、フラップ（１０）の移動が防止され、閉位置に確実にロックできる。
【００４１】
駆動手段（２０）が作動すると、電気モータ（２１）の伝達軸が回転し、カム（５６）及びピニオン（５４）が回転する。この際、ピニオン（５４）は、噛合部（１７）と噛合することはできない。どのような場合でも、カム（５６）は、タング（５１）を漸進的に押して弾性変形させる。係止部（５２）は、ラグ（５３）から漸進的に解除され、完全に分離される。それにより、フラップ（１０）のロックが解除される。
【００４２】
ピニオン（５４）の噛合部は、噛合部（１７）と漸進的に噛合し始め、フラップ（１０）は旋回する。フラップ（１０）は、上述と逆の動作をして、ロック手段（５０）によりロックされる。
【００４３】
この変形例において、フラップ（１０）は、支持体（４）に設けられたスロット（６）を通過できるように取り付けられている。しかし、本発明の１つの特徴によれば、後方視認装置（１）には、フラップ（１０）と支持体（４）とをシールするシール手段（６０）が設けられている。このシール手段（６０）により、支持体（４）の後方にあるビデオカメラ（２）を、埃や湿気等の全てから保護することができる。
【００４４】
図１１及び図１２からわかるように、この変形例のシール手段（６０）は、フラップ（１０）の端部（１８）に位置し、前記フラップ（１０）が開位置にある時、フラップ（１０）と支持体（４）とをシールできる第１シール部（６１）を備えている。
【００４５】
シール手段（６０）は、フラップ（１０）の基端部（１６）に位置し、前記フラップ（１０）が閉位置にある時、フラップ（１０）と支持体（４）とをシールできる第２シール部（６２）を備えている。
【００４６】
変形例として、シール手段（６０）に、支持体（４）に固定され、スロット（６）に位置し、フラップ（１０）とスライドして接触しうる第３シール部を設けることもできる。
【００４７】
上述の説明からわかるように、この変形例において、後方視認装置（１）は、ビデオカメラ（２）のレンズを保護する透明な保護スクリーン（３）を備えている。このように、本発明の好適な特徴によれば、後方視認装置（１）は、フラップ（１０）が閉位置と開位置との間を移動している時に、保護スクリーン（３）を清掃する清掃手段（３０）を備えている。
【００４８】
本発明の１つの特徴によれば、保護スクリーン（３）の外面は、フラップ（１０）の移動経路とおおむね平行であり、清掃手段（３０）は、フラップ（１０）の端部（１８）に固定され、保護スクリーン（３）の前記外面と滑り接触しうるスクレーパーシール（３１）を備えている。
【００４９】
スクレーパーシール（３１）は、フラップ（１０）が閉位置と開位置との間を移動する間、保護スクリーン（３）に接触し続ける。そのため、フラップ（１０）を用いた時に、清掃機能が発揮される。
【００５０】
また、図１１及び図１２からわかるように、保護スクリーン（３）の凸状の外面は、フラップ（１０）の移動経路とおおむね平行であり、清掃手段（３０）は、フラップ（１０）の第１シール部（６１）の突出部（３２）からなっている。突出部（３２）は、保護スクリーン（３）の前記外面と滑り接触する。また、突出部（３２）は、保護スクリーン（３）と接触し続けるので、フラップ（１０）が閉位置と開位置との間を旋回している時に、清掃機能を発揮する。
【００５１】
変形例として、ビデオカメラ（２）のレンズが保護スクリーン（３）を有していない場合、フラップ（１０）が閉位置と開位置との間を移動している時に、ビデオカメラ（２）の外面を清掃しうる清掃手段を、ビデオカメラ（２）に設けることもできる。
【００５２】
図１３〜図１５は、後方視認装置（１）を構成する主要部材を示している。
【００５３】
図１３において、電気モータ（２１）は、一方がカメラボックスのカバー（７２）と一体となっている、２つの保護ハーフケース（７０）（７１）の間に設けられている。相補的な固定部材により組み立てられたアッセンブリは、支持体（４）に取り付けることができる（図１４及び図１５参照）。
【００５４】
支持体（４）は、自動車との境界面となっており、本発明による後方視認装置（１）上でモジュラー化されている。支持体（４）は、ビデオカメラ（２）を収容及び保護するボックス（８）を備えているのが好ましい。ボックス（８）は、透明な保護スクリーン（３）が嵌合される前部開口（９ａ）と、ビデオカメラ（２）が挿入される後部開口（９ｂ）とを有している。
【００５５】
図１５に示す後方視認装置（１）の最終的な組み立て段階では、後部開口（９ｂ）にカバー（７２）を取り付けることにより、図１３に示したアッセンブリを、支持体（４）に設けられたボックス（８）に組み付ける。この実施例では、フラップ（１０）は、ビデオカメラ（２）が固定された支持体（４）に対して移動しうるように取り付けられている。
【００５６】
図１６は、本発明の第２の実施例による後方視認装置（１００）を示している。
【００５７】
図１７からわかるように、支持体（１０４）は、ビデオカメラ（２）を収容するボックス（１０８）を有しているのみであるので、簡単な構造となっている。また、前部開口（１０９ａ）は、透明な保護スクリーン（１０３）により閉じられ、後部開口（１０９ｂ）は、独立したボックスカバー（１７２）により閉じられている。
【００５８】
図１８に示すように、この第２の実施例は、駆動手段（１２０）の保護ケース（１７０）に対して移動するように取り付けられたフラップ（１１０）を備えているという特徴を有している。
【００５９】
後方視認装置（１００）の他の主要な部材は、第１の実施例におけるものと共通であるので、詳述しない。保護ケース（１７０）の底部において、支持体（１０４）と協動してシールするシール（１７５）が設けられている。
【００６０】
第２の実施例は、種々の噛合部材間の寸法が小となるという利点があり、それにより、取り付けの精密性が増し、種々の動作雑音が減る。
【００６１】
この発明の他の特徴によれば、フラップ（１０）（１１０）は、透明部材で、例えばポリカーボネートで形成されている。この特徴によると、何らかの原因でフラップ（１０）（１１０）がロックした場合、例えば霜のためにロックされた状態となって、後方視覚機能が低下したとしても、後方の視界が失われることはない。
【００６２】
特に、フラップ（１０）（１１０）は、前記ビデオカメラ（２）のレンズと前記フラップ（１０）（１１０）との相対位置によるビデオカメラ（２）の視界を変更しうるプリズム手段を備えているのが好ましい。例えば、フラップ（１０）（１１０）が閉位置にある時、視界は下側となり、駐車補助機能が発揮され、前記フラップ（１０）（１１０）が開位置または半開位置にある時、後方視界機能が発揮される。
【００６３】
また、本発明は、上述したような後方視認装置（１）（１００）を少なくとも１つ備える自動車にも関するものである。
【図面の簡単な説明】
【００６４】
【図１】本発明の後方視認装置の第１の実施例の斜視図である。
【図２】図１の後方視認装置におけるフラップの後方斜視図である。
【図３】図１の後方視認装置における弾性戻し手段の詳細図である。
【図４】図１の後方視認装置の停止手段の作動位置における詳細図である。
【図５】図１の後方視認装置の停止手段の非作動位置における詳細図である。
【図６】ロック手段が非作動位置にある後方視認装置の第１の変形例を示す図である。
【図７】ロック手段が作動位置にある図６と同様の後方視認装置を示す図である。
【図８】ロック手段が作動位置にある後方視認装置の第２の変形例を示す図である。
【図９】ロック手段が非作動位置にある図８と同様の後方視認装置を示す図である。
【図１０】図８のロック手段の詳細図である。
【図１１】フラップが開位置にある時の、図１の後方視認装置の清掃手段及びシール手段を示す図である。
【図１２】フラップが閉位置にある時の後方視認装置の清掃手段及びシール手段を示す図１１と同様の図である。
【図１３】図１の後方視認装置の駆動手段を示す図である。
【図１４】図１の後方視認装置の支持体の詳細図である。
【図１５】図１の後方視認装置の組み立てを示す図である。
【図１６】本発明の後方視認装置の第２の実施例の斜視図である。
【図１７】図１６の後方視認装置の支持体の斜視図である。
【図１８】図１６の後方視認装置の保護ケースの底面図である。
【符号の説明】
【００６５】
１、１００  後方視認装置
２          ビデオカメラ
３、１０３  保護スクリーン
４、１０４  支持体
５ａ、５ｂ  解放軸受
８、１０８  ボックス
９ａ        前部開口
９ｂ        後部開口
１０、１１０  フラップ
１１        曲面部
１２ａ、１２ｂ  連結アーム
１３ａ、１３ｂ  円筒部
１４        上縁
１５        凹面
１６        基端部
１７        噛合部
１８        端部
２０、１２０  駆動手段
２１        電気モータ
２２        弾性戻し手段
２３、２４  停止手段
２５ａ、２５ｂ  自由端
２６ａ、２６ｂ  係止部
２７        バー
２８        爪
２９        ピニオン
３０        清掃手段
３１        スクレーパーシール
３２        突出部
４０、５０  ロック手段
４１        タング
４２        端部
４３        中間部
５１        タング
５２        係止部
５３        ラグ
５４        ピニオン
５５        非噛合部
５６        カム
６０        シール手段
６１        第１シール部
６２        第２シール部
７０、７１  保護ハーフケース
７２        カバー
１７０      保護ケース
１７２      ボックスカバー
１７５      シール
【図１】
2007500096.tif 000003
【図２】
2007500096.tif 000004
【図３】
2007500096.tif 000005
【図４】
2007500096.tif 000006
【図５】
2007500096.tif 000007
【図６】
2007500096.tif 000008
【図７】
2007500096.tif 000009
【図８】
2007500096.tif 000010
【図９】
2007500096.tif 000011
【図１０】
2007500096.tif 000012
【図１１】
2007500096.tif 000013
【図１２】
2007500096.tif 000014
【図１３】
2007500096.tif 000015
【図１４】
2007500096.tif 000016
【図１５】
2007500096.tif 000017
【図１６】
2007500096.tif 000018
【図１７】
2007500096.tif 000019
【図１８】
2007500096.tif 000020
【国際調査報告】
2007500096.tif 000021
2007500096.tif 000022
2007500096.tif 000023
2007500096.tif 000024
2007500096.tif 000025
2007500096.tif 000026